【手続補正書】
【提出日】令和3年1月4日(2021.1.4)
【手続補正１】
【補正対象書類名】特許請求の範囲
【補正対象項目名】全文
【補正方法】変更
【補正の内容】
【特許請求の範囲】
【請求項１】
農産物を搬送するためのコンベアー装置であって、
ａ．  互いに平行に設けられた複数の連続したレールであって、各レールが滑らかな外部上面、底面、および対向する側面を有し、少なくとも１つの連続した嵌合面が、前記上面、底面、および側面の少なくとも１つに沿って設けられている複数の連続したレールと、
ｂ．  各レールに設けられた複数のパックであって、各パックが、そのようなレールを跨ぐ脚の間に開口を形成する一対の脚を備え、そのような開口の各々の少なくとも１つの内面がパックとレールの間に摺動可能に係合するために各レール上の嵌合面に相補的な嵌合面を有する複数のパックと
を備えるコンベアー装置。
【請求項２】
連続的な窪みが各レールの各対向側面に沿って設けられ、各パック脚の各内面が、各レールの対応する側面の窪みと相補的な形状を有する突起を備える請求項１に記載のコンベアー装置。
【請求項３】
外側に延びる突出部が各パック脚の外面に設けられ、該装置が複数の平行スプロケットホイールをさらに備え、そのようなホイールの各々が各レールの湾曲部分に隣接して設けられ、各ホイールは、複数の前記パックを前記レールに沿って付勢するためにレールの湾曲部分の周りを移動するときに、前記パックの突出部に係合するための複数のスプロケットを備える請求項１に記載のコンベアー装置。
【請求項４】
外側に延びる突出部が各パック脚の外面に設けられ、装置が複数の平行なスプロケットホイールをさらに備え、そのような各ホイールが各レールの湾曲部分に隣接して設けられ、そのような各ホイールが、各レールの対向側面に設けられた２つの回転可能な平行なディスクを備え、各ディスクは、ホイールがレールに沿って前記パックを付勢するためにレールの湾曲部分の周りを移動するときに前記パックの突出部に係合する複数のスプロケットを備える請求項１に記載のコンベアー装置。
【請求項５】
各レールの別の部分に隣接して設けられた少なくとも１つの追加のスプロケットホイールをさらに備え、各追加のホイールは、各レールの対向側面に設けられた２つの回転可能な平行ディスクを備え、各ディスクは、前記パックを前記レールに沿ってさらに付勢するために、パックの突出部と係合する複数のスプロケットを備える請求項４に記載のコンベアー装置。
【請求項６】
前記パックを前記レールに沿って付勢するためにレールの湾曲部分の周りを移動するときに、パックの少なくとも１つの脚に係合するために各レールの湾曲部分に隣接して設けられたチェーン駆動ホイールをさらに備える請求項１に記載のコンベアー装置。
【請求項７】
各パックが、農産物を保持するために枢動可能に取り付けられた可動カップと、前記カップの縁に位置する少なくとも１つの下向きに延びる脚とをさらに備え、
ａ．  前記レールの軸に垂直な向きを有する前記レールの下方に搭載され、各レールに隣接する少なくとも１つの制御可能な電磁石を収容する少なくとも１つの中空クロス部材と、
ｂ．  各電磁石が作動すると、カップの１つに選択的に接触してカップを旋回させて農産物を排出させるために、各レールに隣接し、少なくとも１つの電磁石に隣接するクロスバー上の少なくとも１つの可動アクチュエータと、
をさらに備える請求項１に記載のコンベアー装置。
【請求項８】
各カップが一対の下方に延びる脚を備え、各脚が前記レールの各側面にあり、前記少なくとも１つの可動アクチュエータが２つの平行なリフトアームを備え、各リフトアームは前記脚の位置に対応するように前記レールの各側面に設けられ、前記リフトアームの一方は、前記リフトアームの他方よりも長い請求項７に記載のコンベアー装置。
【請求項９】
前記電磁石が作動したときに前記アクチュエータに接触するように前記クロス部材に沿って選択的に移動するために各アクチュエータに隣接する各クロス部材の周りに設けられた少なくとも１つの可動ディスクをさらに備える請求項７に記載のコンベアー装置。
【請求項１０】
各パックが、農産物を保持するためにそこに固定して取り付けられたカップと、下向きに延びる脚を有する前記カップ内の少なくとも１つの可動部材とをさらに備え、
ａ．  前記レールの軸に垂直な向きを有する前記レールの下方に搭載され、かつ、各レールに隣接する少なくとも１つの制御可能な電磁石を収容する少なくとも１つの中空のクロス部材と、
ｂ．  各電磁石が作動すると、可動部材の一つの脚に選択的に接触して可動部材を上昇させ、農産物を放出させるために、各レールに隣接し、かつ、少なくとも一つの電磁石に隣接するクロスバー上の少なくとも一つの可動アクチュエータと、をさらに備える請求項１に記載のコンベアー装置。
【請求項１１】
第２のコンベアーをさらに含み、前記第２のコンベアーは、
ｃ．  互いに平行に設けられ、長さの一部にわたって前記第１の複数の連続レールに挿入されたであって、前記第２のレールの各々は滑らかな外部上面、底面、および対向する側面を有し、少なくとも１つの連続する嵌合面が、前記面の少なくとも１つに沿って設けられる第２の複数の連続レールと、
ｄ．  各第２レール上に設けられた複数のキャリアであって、各キャリアが、そのようなレールに跨るキャリアの脚の間に開口を形成する一対の脚を備え、各キャリアの脚の開口の少なくとも１つの内面が、キャリアとレールの間を摺動可能に係合するために、そのような各レールの嵌合面に相補的である嵌合面を備える複数のキャリアと、
を備える請求項１に記載のコンベアー装置。
【請求項１２】
連続的な窪みが各第２のレールの各対向側面に沿って設けられ、各キャリア脚の各内面が、そのような各レールの対応する側面の窪みに相補的な形状を有する突起を備える請求項１１に記載のコンベアー装置。
【請求項１３】
外側へ延びる突出部が各キャリア脚の外面に設けられ、本装置がさらに第２の複数の平行なスプロケットホイールを備え、各第２ホイールは各第２レールの湾曲部分に隣接して設けられ、各第２ホイールは、前記キャリアを前記レールに沿って付勢するために、前記レールの湾曲部分の周りを移動するときに、前記キャリアの突出部と係合する複数のスプロケットを備える請求項１１に記載のコンベアー装置。
【請求項１４】
外側に延びる突出部が各キャリア脚の外面に設けられ、本装置がさらに第２の複数の平行なスプロケットホイールを備え、そのような各ホイールが各第２レールの湾曲部分に隣接して設けられ、そのような各第２ホイールは、各レールの対向側面に設けられた２つの回転可能な平行ディスクを備え、各ディスクは、キャリアをレールに沿って付勢するためにレールの湾曲部分の周りを移動するときにキャリアの突出部に係合するための複数のスプロケットを備える請求項１１に記載のコンベアー装置。
【請求項１５】
ａ．  中心軸を有する少なくとも１つのレール；
ｂ．  前記少なくとも１つのレールに沿って移動するために設けられた少なくとも１つのパック；
ｃ．  農産物を保持するために各パックに枢動可能に取り付けられた可動カップであって、各カップが少なくとも１つの下向きに延びる脚を有する可動カップ；
ｄ．  前記少なくとも１つのレールの軸に垂直な方位を有する前記少なくとも１つのレールの下方に搭載された少なくとも１つの中空クロス部材であって、各クロス部材が、前記少なくとも１つのレールに隣接する少なくとも１つの制御可能な電磁石を収容する中空クロス部材；  そして
ｅ．  一方のカップの脚に選択的に接触し、前記電磁石が作動した時にカップを旋回させて農産物を放出させるために、少なくとも１つのレールと少なくとも１つの電磁石に隣接する、クロスバー上の少なくとも１つの電磁可動アクチュエータを備える、農産物を選択的に放出する装置。
【請求項１６】
各カップが一対の下方に延びる脚を備え、前記少なくとも１つのレールの各側面に１つの脚があり、前記少なくとも１つの可動アクチュエータが２つの平行なリフトアームを備え、１つのそのようなリフトアームが前記脚の位置に対応して前記レールの各側面に設けられ、前記リフトアームの一方が前記リフトアームの他方よりも長い請求項１５に記載の装置。
【請求項１７】
前記電磁石が作動したときに前記クロス部材に沿って選択的に移動して前記アクチュエータに接触するために、各アクチュエータに隣接する各クロス部材の周りに設けられた少なくとも１つの電磁可動ディスクをさらに備える請求項１６に記載の装置。
【請求項１８】
前記少なくとも１つのレールは、互いに平行に設けられた複数の連続レールを備え、各レールは、滑らかな外部上面、底面、および対向側面を有し、少なくとも１つの連続嵌合面が、前記面の少なくとも１つに沿って設けられ、前記少なくとも１つのパックは、各レール上に設けられた複数のパックを備え、各パックは、そのようなレールを跨ぐために脚の間の開口を形成した一対の脚を備え、そのような各開口の少なくとも１つの内面が、パックとレール間の摺動可能な係合のために、各レールの嵌合面を補完する嵌合面を備える請求項１５に記載の装置。
【請求項１９】
連続的な窪みが各レールの各対向側面に沿って設けられ、各パックの脚の各内面が、各レールの対応する側面の窪みと相補的な形状を有する突起を備える請求項１５に記載の装置。
【請求項２０】
外側に延びる突出部が各パック脚の外面に設けられ、本装置は複数の平行なスプロケットホイールをさらに備え、そのような各ホイールは、各レールの湾曲部分に隣接して設けられ、前記パックを前記レールに沿って付勢するためにレールの湾曲部分の周りを移動するとき、前記パックの突出部に係合する複数のスプロケットを備える請求項１５に記載の装置。
【請求項２１】
外側に延びる突出部が各パックの脚の外面に設けられ、本装置が複数の平行なスプロケットホイールをさらに備え、そのような各ホイールが各レールの湾曲部分に隣接して設けられ、そのような各ホイールが各レールの対向側面に設けられた２つの回転可能な平行なディスクを備え、各ディスクは、前記パックをレールに沿って付勢するためにレールの湾曲部分を移動する時にパックの突出部に係合する複数のスプロケットを備える請求項１５に記載の装置。
【請求項２２】
ａ．  中心軸を有する少なくとも１つのレール；
ｂ．  前記少なくとも１つのレールに沿って移動するために設けられた少なくとも１つのパック；
ｃ．  農産物を保持するために各パックに固定的に取り付けられたカップであって、各カップが少なくとも１つの可動部材をその上に有し、前記可動部材が下向きに延びる脚を有するカップ；
ｄ．  前記少なくとも１つのレールの軸に垂直な方位を有する前記少なくとも１つのレールの下方に搭載された少なくとも１つの中空クロス部材であって、各クロス部材が、前記少なくとも１つのレールに隣接する少なくとも１つの制御可能な電磁石を収容する中空クロス部材；  そして
ｅ．  可動部材の１つの脚に選択的に接触し、前記電磁石が作動した時に可動部材に農産物を移動させるために、少なくとも１つのレールと少なくとも１つの電磁石に隣接する、クロスバー上の少なくとも１つの電磁可動アクチュエータを備える、農産物を選択的に放出する装置。
【請求項２３】
前記少なくとも１つのレールは、互いに平行に設けられた複数の連続レールを備え、各レールは、滑らかな外部上面、底面、および対向側面を有し、少なくとも１つの連続嵌合面が、前記面の少なくとも１つに沿って設けられ、前記少なくとも１つのパックは、各レール上に設けられた複数のパックを備え、各パックは、そのようなレールを跨ぐために脚の間の開口を形成した一対の脚を備え、そのような各開口の少なくとも１つの内面が、パックとレール間の摺動可能な係合のために、各レールの嵌合面を補完する嵌合面を備える請求項２２に記載の装置。
【請求項２４】
連続的な窪みが各レールの各対向側面に沿って設けられ、各パックの脚の各内面が、各レールの対応する側面の窪みと相補的な形状を有する突起を備える請求項２２に記載の装置。
【請求項２５】
外側に延びる突出部が各パック脚の外面に設けられ、本装置は複数の平行なスプロケットホイールをさらに備え、そのような各ホイールは、各レールの湾曲部分に隣接して設けられ、前記パックを前記レールに沿って付勢するためにレールの湾曲部分の周りを移動するとき、前記パックの突出部に係合する複数のスプロケットを備える請求項２２に記載の装置。
【請求項２６】
外側に延びる突出部が各パックの脚の外面に設けられ、本装置が複数の平行なスプロケットホイールをさらに備え、そのような各ホイールが各レールの湾曲部分に隣接して設けられ、そのような各ホイールが各レールの対向側面に設けられた２つの回転可能な平行なディスクを備え、各ディスクは、前記パックをレールに沿って付勢するためにレールの湾曲部分を移動する時にパックの突出部に係合する複数のスプロケットを備える請求項２２に記載の装置。
【請求項２７】
ａ．  農産物を複数の可動カップのそれぞれに導入し、各カップは複数のスライド可能なパックの１つに旋回可能に取り付けられ、各パックは中心軸を有する連続レールとスライド可能に係合し、各パックはレールを跨ぐためにパックの脚の間に開口を形成する一対のパックの脚を備え、各パックの脚の開口の少なくとも１つの内面は、各パックとレールとの間のスライド可能な係合のためのレール上の連続嵌合面に相補的な嵌合面を備え、そして
ｂ．  レールの湾曲した部分に隣接して配置された第１スプロケットホイールを使用して、レールに沿って前記複数のパックを互いに付勢し、前記スプロケットホイールは、パックがレールの湾曲した部分の周りを移動するときに前記複数のパックのそれぞれと係合する複数のスプロケットを備える、
農産物を選別するために運搬する方法。
【請求項２８】
レールの他の部分に隣接して配置された第２スプロケットホイールを使用して、レールに沿って前記複数のパックを互いにさらに付勢し、第２スプロケットホイールは、レールの別の部分に隣接して設けられ、第２スプロケットホイールは、パックがレールに沿って移動するときに複数のパックのそれぞれと係合する第２の複数のスプロケットを備える請求項２７に記載の方法。
【請求項２９】
外側に延びる突出部が、前記第１および第２スプロケットホイールのスプロケットとの係合のために、前記一対のパックの脚のそれぞれの外面に設けられる、請求項２８に記載の方法。
【請求項３０】
各カップが、前記カップの縁部に位置する少なくとも１つの下向きに延びる脚をさらに備え、制御可能な電磁石を収容する中空のクロス部材が、前記レールの下方に取り付けられ、前記クロス部材が、前記レールの軸に垂直な方向を有し、可動アクチュエータが、レールに隣接し、かつ、前記制御可能な電磁石に隣接する前記中空のクロス部材上に設けられ、農産物が識別されたときに前記電磁石を選択的に作動させて、前記アクチュエータをカップの下方に延びる脚部に接触させて、前記カップを旋回させ、識別された農産物を前記カップから放出する、請求項２７に記載の方法。
【請求項３１】
レールの別の部分に隣接して設けられた第２スプロケットホイールを用いて、レールに沿って前記複数のパックを互いにさらに付勢し、第２スプロケットホイールは、パックがレールに沿って移動するときに複数のパックのそれぞれと係合する第２の複数のスプロケットを備える、請求項３０に記載の方法。
【請求項３２】
前記第１および第２スプロケットホイールのスプロケットと係合するために、前記一対のパックの脚のそれぞれの外面に外向きに延びる突出部が設けられる、請求項３１に記載の方法。
【請求項３３】
各可動カップは、一対の下向きに延びる脚を備え、各脚がレールの各側面に有り、前記可動アクチュエータは、２本の平行リフトアームを備え、１つのそのようなアームが前記一対のカップ脚の位置に対応するレールの各側面に設けられ、前記平行リフトアームの一方は、前記平行リフトアームの他方より長い、請求項３０に記載の方法。
【請求項３４】
前記電磁石が作動するとき、前記少なくとも１つの中空クロス部材に沿って選択的に移動して前記可動アクチュエータに接触するために、前記可動アクチュエータに隣接する前記クロス部材の周りに設けられた可動ディスクをさらに備える、請求項３０に記載の方法。
【請求項３５】
ａ．  農産物を複数の可動カップのそれぞれに導入し、各カップは複数のスライド可能なパックの１つに固定して取り付けられ、各パックは中心軸を有する連続レールとスライド可能に係合し、各パックはレールを跨ぐためにパックの脚の間に開口を形成する一対のパックの脚を備え、各パックの脚の開口の少なくとも１つの内面は、各パックとレールとの間のスライド可能な係合のためのレール上の連続嵌合面に相補的な嵌合面を備え、そして
ｂ．  レールの湾曲した部分に隣接して配置された第１スプロケットホイールを使用して、レールに沿って前記複数のパックを互いに付勢し、前記スプロケットホイールは、パックがレールの湾曲した部分の周りを移動するときに前記複数のパックのそれぞれと係合する複数のスプロケットを備える、
農産物を選別するために運搬する方法。
【請求項３６】
各カップが少なくとも１つの可動部材をさらに備え、前記可動部材はそこに位置する下向きに延びる脚を有し、制御可能な電磁石を収容する中空のクロス部材が、前記レールの下方に取り付けられ、前記クロス部材が、前記レールの軸に垂直な方向を有し、可動アクチュエータが、レールに隣接し、かつ、前記制御可能な電磁石に隣接する前記中空のクロス部材上に設けられ、農産物が識別されたときに前記電磁石を選択的に作動させて、前記アクチュエータを前記可動部材の下方に延びる脚部に接触させて、前記可動部材を上昇させ、識別された農産物を前記カップから放出する、請求項３５に記載の方法。
【請求項３７】
レールの他の部分に隣接して配置された第２スプロケットホイールを使用して、レールに沿って前記複数のパックを互いにさらに付勢し、第２スプロケットホイールは、レールの別の部分に隣接して設けられ、第２スプロケットホイールは、パックがレールに沿って移動するときに複数のパックのそれぞれと係合する第２の複数のスプロケットをそなえる請求項３６に記載の方法。
【請求項３８】
ａ．  農産物を複数の可動カップのそれぞれに導入し、各カップは複数の摺動可能なパックの１つに枢動可能に取り付けられ、各パックは、軸に沿って互いに平行に設けられた複数の連続レールの１つと摺動可能に係合し、各パックは、そのような各レールに跨るためにパックの脚の間に開口を形成する一対のパックの脚を備え、各パックの脚の開口の少なくとも１つの内面は、各パックとそのような各レールとの間の摺動可能な係合のための複数のレールの一方の連続嵌合面に相補的な嵌合面を備え、
ｂ．  複数の第１スプロケットホイールを使用して、複数のレールのそれぞれに沿って前記複数のパックを互いに付勢し、前記スプロケットホイールは、複数のレールのそれぞれの湾曲部分に隣接して配置され、複数のスプロケットホイールのそれぞれは、パックが複数のレールのそれぞれの湾曲した部分の周りを移動するときに、前記複数のパックのそれぞれに係合する複数のスプロケットを備える、農産物を選別するために運搬する方法。
【請求項３９】
複数のカップの各カップが、そのような各カップの縁部に配置された少なくとも１つの下向きに延びる脚をさらに備え、少なくとも１つの制御可能な電磁石を収容する少なくとも１つの中空のクロス部材が、前記複数のレールの下方に取り付けられ、前記少なくとも１つのクロス部材は、前記複数のレールの軸に垂直な方向を有し、少なくとも１つの可動アクチュエータが、複数のレールに隣接し、かつ、前記少なくとも１つの制御可能な電磁石に隣接する少なくとも１つの中空のクロス部材上に設けられ、農産物が特定されたときに前記制御可能な電磁石の１つを選択的に作動させて、アクチュエータをカップの下方に延びる脚に接触させ、前記カップを旋回させ、特定された農産物を前記カップから放出させる請求項３８に記載の方法。
【請求項４０】
前記複数のレールの別の部分に隣接して設けられた複数の第２スプロケットホイールを使用して、前記複数のパックを複数のレールに沿って互いにさらに付勢し、前記複数の第２スプロケットホイールのホイールの各々は、パックが複数のレールに沿って移動するときに前記複数のパックのそれぞれと係合する第２の複数のスプロケットを備える、請求項３９に記載の方法。
【請求項４１】
ａ．  農産物を複数の可動カップのそれぞれに導入し、各カップは、スライド可能な複数のパックのうちの１つに枢動的に取り付けられており、各パックは、中心軸を有する連続したレールとスライド可能に係合しており、各パックは、レールを跨ぐためにパックの脚の間に開口を形成する一対のパックの脚を含み、各パックの脚の開口の少なくとも１つの内面は、各パックとレールとの間のスライド可能な係合のためのレール上の連続嵌合面に相補的な嵌合面を備え、そして
ｂ．  前記レールに沿って前記複数のパックを互いに押しつける、
農産物を選別するために運搬する方法。
【請求項４２】
各カップが、前記カップの端部に位置する少なくとも１つの下向きに伸びる脚をさらに有し、制御可能な電磁石を囲む中空のクロス部材が前記レールの下方に取り付けられ、前記クロス部材は、前記レールの軸に垂直な方向を有し、可動アクチュエータが、前記レールに隣接し、かつ、制御可能な電磁石に隣接する前記中空のクロス部材上に設けられ、農産物が識別されたときに前記電磁石を選択的に作動させ、前記アクチュエータを前記可動カップの下向きに伸びる脚に接触させて、前記カップを旋回させ、識別された農産物を前記カップから放出する、請求項４１に記載の方法。
【請求項４３】
各カップが、一対の下向きに伸びる脚を有し、各脚がレールの各側面にあり、前記可動アクチュエータは、２本の平行リフトアームを備え、１つのそのようなアームが前記一対のカップ脚の位置に対応するレールの各側面に設けられ、前記平行リフトアームの一方は、前記平行リフトアームの他方より長い、請求項４２に記載の方法。
【請求項４４】
前記電磁石が作動するとき、前記少なくとも１つの中空クロス部材に沿って選択的に移動して前記可動アクチュエータに接触するために、前記可動アクチュエータに隣接する前記クロス部材の周りに設けられた可動ディスクをさらに備える、請求項４２に記載の方法。
【請求項４５】
前記レールに沿って前記複数のパックを互いに押し付けるステップは、前記レールに隣接して配置された駆動チェーンを使用して達成され、前記駆動チェーンは、前記パックが前記レールに沿って移動する際に前記複数のパックのそれぞれに係合する複数の開口部を有する、請求項４１に記載の方法。
【請求項４６】
ａ．  農産物を複数の可動カップのそれぞれに導入し、各カップは、スライド可能な複数のパックのうちの１つに固定的に取り付けられており、各パックは、中心軸を有する連続したレールにスライド可能に係合しており、各パックは、レールを跨ぐためにパックの脚の間の開口を形成する一対のパックの脚を含み、各パックの脚の開口の少なくとも１つの内面は、各パックとレールとの間でスライド可能な係合のためのレール上の連続嵌合面と相補的な嵌合面を備え、そして
ｂ．  前記レールに沿って前記複数のパックを互いに押しつける、
農産物を選別するために運搬する方法。
【請求項４７】
各カップが、少なくとも１つの可動部材をさらに備え、前記可動部材は、その上に位置する下向きに伸びる脚を有し、制御可能な電磁石を囲む中空のクロス部材が、前記レールの下方に取り付けられ、前記クロス部材は、前記レールの軸に垂直な方向を有し、可動アクチュエータが、前記レールに隣接し、かつ、制御可能な電磁石に隣接する前記中空のクロス部材上に設けられ、農産物が識別されたときに前記電磁石を選択的に作動させ、前記アクチュエータを前記可動部材の下向きに延びる脚に接触させて、前記可動部材を上昇させ、識別された農産物を前記カップから放出する、請求項４６に記載の方法。
【請求項４８】
前記レールに沿って前記複数のパックを互いに押し付けるステップは、前記レールに隣接して配置された駆動チェーンを使用して達成され、前記駆動チェーンは、前記パックが前記レールに沿って移動する際に前記複数のパックのそれぞれに係合する複数の開口部を有する、請求項４６に記載の方法。